(57)【要約】 【課題】  筐体の開閉検知だけではなく、同時に筐体の向きも検知することが可能な、部品点数を削減した折り畳み式電子機器、および折り畳み式電子機器の筐体位置検出方法を提供することにある。【解決手段】  水平軸３と垂直軸４の各々を回転軸として回転する２つの可動軸をもつ２軸ヒンジと、第２の筐体２、第１の筐体１、磁気センサ８、及び磁石７を備える電子機器で、前記第２の筐体２の垂直軸上の任意の位置に磁石７を配置し、もう一方の第１の筐体１には、折り畳み時点にて、前記磁石７と対向する所定の位置に磁気センサ８を配置する折り畳み式携帯端末機器において、１つの磁気センサと１つの磁石で２つの筐体の垂直軸および水平軸上の位置、すなわち開閉、向きの両方を検出することが可能となる。【選択図】  図１
2008294490.tif 000002
【特許請求の範囲】
【請求項１】
水平軸と垂直軸の各々を回転軸として回転する２軸ヒンジと、第１の筐体と、第２の筐体と、磁気センサと、磁石を備える電子機器であって、前記第１の筐体は、前記２軸ヒンジの前記垂直軸方向の一端に結合され、前記第２の筐体は、前記２軸ヒンジの前記垂直軸方向の他端に結合され、前記第１の筐体の前記垂直軸の延長部に前記磁石を１つ配置し、前記水平軸を回転軸として前記第１の筐体を回転させて、前記第１の筐体と前記第２の筐体を近接させた時に、前記第２の筐体の前記磁石が相対する位置に前記磁気センサを１つ配置してなることを特徴とする折り畳み式電子機器。
【請求項２】
前記磁気センサは、前記磁石の、磁場の強度および磁場の方向を検知し、前記第１の筐体と前記第２の筐体の前記水平軸および垂直軸上の位置を検出することを特徴とする請求項１記載の折り畳み式電子機器。
【請求項３】
水平軸と垂直軸の各々を回転軸として回転する２軸ヒンジと、第１の筐体と、第２の筐体と、磁気センサと、磁石を備える電子機器の筐体位置検出方法であって、前記第１の筐体は、前記２軸ヒンジの前記垂直軸方向の一端に結合され、前記第２の筐体は、前記２軸ヒンジの前記垂直軸方向の他端に結合され、前記第１の筐体の前記垂直軸の延長部に前記磁石を１つ配置し、前記水平軸を回転軸として前記第１の筐体を回転させて、前記第１の筐体と前記第２の筐体を近接させた時に、前記第２の筐体の前記磁石が相対する位置に前記磁気センサを１つ配置し、前記磁気センサは、前記磁石の、磁場の強度および磁場の方向を検知し、前記第１の筐体および前記第２の筐体間の、前記水平軸および垂直軸上の位置を検出することを特徴とする折り畳み式電子機器の筐体位置検出方法。
【発明の詳細な説明】
【技術分野】
【０００１】
本発明は、折り畳み式の電子機器に関するもので、特に携帯電話などに代表される２軸ヒンジを使用した折り畳み式の電子機器、および折り畳み式の電子機器の筐体位置検出方法に関するものである。
【背景技術】
【０００２】
折り畳み式の電子機器の代表的なものとしては、携帯端末機器、ノートパソコン、ＰＤＡ（Personal  Digital  Assistant）などがあり、これらの機器は、近年、デジタルカメラ機能、ワンセグ機能等さまざまな機能を盛り込んだものが多くなってきている。特に携帯端末機器においては、数年前から通話機能ばかりではなく、メール機能、ブラウザ機能等が搭載され、これに伴って液晶表示部が大型化され、携帯端末機器の形状もストレートタイプから、折り畳み形状が主流となってきている。
【０００３】
さらに、近年では、前述のメール機能、ブラウザ機能のほかに、カメラ機能、テレビ機能等が追加され、折り畳み式の携帯端末機器においては、従来の１軸ヒンジを用いた単純な開閉動作だけではなく、２軸ヒンジを用いて液晶表示部が回転するなど、複雑な動作をする場合も多くなってきている。
【０００４】
携帯電話、ノートパソコンに代表される折り畳み式電子機器の開閉検知には接触式のスイッチや磁気センサと磁石を用いた方法が取られているが、前述のような２軸ヒンジを持った電子機器の場合、開閉検知のほかに、上部筐体の向きを検知する必要があり、複数のスイッチや、複数の磁気センサ及び複数の磁石が必要とされている。
【０００５】
この様な多機能化により部品点数は増え、実装面積が増大する傾向があり、スペースの関係上、実装面積の低減が望まれており、加えて電子機器の携帯性を向上させるために、部品点数を少なくして小型化・軽量化を図る必要がある。
【０００６】
特許文献１には、開閉状態及び回転・非回転状態の検出に係わる、部品点数を従来より削減した携帯情報端末の提供が可能になった例が開示されている。
【０００７】
また、特許文献２には、部品点数の削減により、実装面積の低減を図った携帯端末機器の提供が可能になった例が開示されている。
【０００８】
【特許文献１】特開２００５−３０３６８８号公報
【特許文献２】特開２００５−３５４３８４号公報
【発明の開示】
【発明が解決しようとする課題】
【０００９】
特許文献１は、ＭＲセンサーとホールセンサーの２つの磁気センサーと１つの磁石からなり、磁気センサーによる開閉状態及び回転・非回転の検出結果より、電子機器の状態を識別している。磁気センサーにより開閉状態や筐体の向きを識別することは可能となったが、小型化・軽量化のための部品点数の削減の点について、十分とは言えないという問題があった。
【００１０】
特許文献２は、２つのＭＲセンサーからなる磁気センサーと１つの磁石からなり、実装面積の低減を図ることができた。しかしながら、小型化・軽量化のための部品点数の削減の点について、十分とは言えないという問題があった。
【００１１】
本発明の課題は、折り畳み式電子機器の実装面積の低減、および部品点数の低減よりコストダウンを図ることにある。
【課題を解決するための手段】
【００１２】
本発明は、従来の課題を解決すべくなされたもので、筐体の開閉検知と筐体の向きを検出するため、複数個のスイッチまたは、複数個の磁気センサ及び複数個の磁石が必要であったものを、１つの磁気センサと１つの磁石で筐体の開閉と筐体の向きが同時に検知可能となった、折り畳み式電子機器の筐体位置検出方法を提供することにある。
【００１３】
本発明は、前記課題の解決のため、水平軸と垂直軸の各々を回転軸として回転する２軸ヒンジと、第１の筐体と、第２の筐体と、磁気センサと、磁石を備える電子機器であって、第１の筐体は、２軸ヒンジの垂直軸方向の一端に結合され、第２の筐体は、２軸ヒンジの垂直軸方向の他端に結合され、第１の筐体の垂直軸の延長部に磁石を１つ配置し、水平軸を回転軸として第１の筐体を回転させて、第１の筐体と第２の筐体を近接させた時に、第２の筐体の磁石が相対する位置に磁気センサを１つ配置してなることを特徴とする折り畳み式電子機器である。
【００１４】
さらに、磁気センサは、磁石の磁場の強度および磁場の方向を検知し、第１の筐体と第２の筐体の水平軸および垂直軸上の位置を検出することを特徴とする折り畳み式電子機器である。
【００１５】
また、水平軸と垂直軸の各々を回転軸として回転する２軸ヒンジと、第１の筐体と、第２の筐体と、磁気センサと、磁石を備える電子機器の筐体位置検出方法であって、第１の筐体は、２軸ヒンジの垂直軸方向の一端に結合され、第２の筐体は、２軸ヒンジの垂直軸方向の他端に結合され、第１の筐体の垂直軸の延長部に磁石を１つ配置し、水平軸を回転軸として第１の筐体を回転させて、第１の筐体と第２の筐体を近接させた時に、第２の筐体の磁石が相対する位置に磁気センサを１つ配置し、磁気センサは、磁石の磁場の強度および磁場の方向を検知し、第１の筐体および第２の筐体間の、水平軸および垂直軸上の位置を検出することを特徴とする折り畳み式電子機器の筐体位置検出方法である。
【発明の効果】
【００１６】
従って、本発明によれば、２つの筐体を水平軸と垂直軸を持つ２軸ヒンジで結合した折り畳み式電子機器において、第２の筐体の垂直上の所定の位置に磁石(磁気センサ)を配置し、さらに対向する第１の筐体の垂直軸上の所定の位置に磁気センサ(磁石)を配置し、両極検知で２系統出力が可能な磁気センサを用いることによって、折り畳み式電子機器の２つの筐体垂直軸および水平軸上位置すなわち開閉、向き検出に従来複数個必要であった磁気センサ及び磁石をそれぞれ1つの磁気センサと１つの磁石で検出することが可能となり、実装面積の低減、コストダウンすることができる。
【００１７】
また、筐体の開閉検知だけではなく、同時に筐体の向きも検知することが可能な、部品点数を削減した、薄型化された折り畳み式電子機器、および折り畳み式電子機器の筐体の開閉、向き検出方法を得ることができる。
【発明を実施するための最良の形態】
【００１８】
図１は、本発明の実施の形態に係わる折り畳み式電子機器の説明図である。液晶表示部である液晶パネル５（図示せず）を内側にした状態で、第２の筐体２を閉じたときの２軸ヒンジを用いた場合の携帯端末の図であり、第２の筐体２に磁石７を配置し、第１の筐体１に磁気センサ８を配置している。磁気センサ８には、Ｎ極、Ｓ極の両極すなわち極性を区別して検知する２系統出力のホールＩＣを用いている。第１の筐体１と第２の筐体２は、水平軸３と垂直軸４の２つの可動軸をもつ２軸ヒンジにて結合されている。
【００１９】
磁石７は第２の筐体２の垂直軸上の任意の位置に配置され、第１の筐体１に配置される磁気センサ８は、第２の筐体２を閉じた状態で、磁石７と対向する第１の筐体１の所定の位置に配置されている。また、配置された磁石７の磁化方向は、垂直軸４に直交しさらに水平軸３に直交する方向（図中上下方向）であり、磁気センサ８側（下側）がＳ極、反対側（上側）がＮ極となっている。第１の筐体１に配置される磁気センサ８が検知する磁界方向は、第２の筐体２に配置された磁石７の磁化方向と平行となっている。即ち、磁石７から発生する磁束を、磁気センサ８の平面方向と垂直方向にて交差することにより、磁気センサ８が動作する。
【００２０】
つまり、図１の状態においては、磁気センサ８は、第２の筐体２に配置された磁石７からのＳ極から発生する磁場を検知し信号を出力している。そして、磁石７のＳ極を検知した信号を受けた折り畳み式電子機器は、液晶表示部である液晶パネル５が内側に閉じられていることを認識し、液晶パネル５の電源がＯＦＦされる。
【００２１】
図２は、図１の状態から、第２の筐体２を開いた時の、本発明の実施の形態に係わる折り畳み式電子機器の説明図である。第２の筐体２を開くと、磁気センサ８への磁石７からの磁場は取り除かれ、磁気センサ８は磁場を検知せず、信号を出力しない。よって、折り畳み式電子機器は、第２の筐体２が開かれた状態であることを認識し、液晶パネル５の電源がＯＮされる。
【００２２】
図３は、図２の状態から、第２の筐体２を１８０°回転させ開いた時の、本発明の実施の形態に係わる折り畳み式電子機器の説明図である。また、図４は、図３の状態から、第２の筐体２を閉じた時の、本発明の実施の形態に係わる折り畳み式電子機器の説明図である。図３のように第２の筐体２を垂直軸４を中心に回転させ、図４のように第２の筐体２を閉じると、磁気センサ８は、第２の筐体２に設置された磁石７からＮ極の磁場を受け、Ｎ極の磁場を検知し信号を出力する。するとＮ極を検知した信号を磁気センサ８から受けた折り畳み式電子機器は、液晶パネル５が外側に閉じられたことを認識し、液晶表示部の表示方向を、１８０度反転させるなどの制御を行う。
【００２３】
磁石７を第１の筐体１に磁気センサ８を第２の筐体２に配置してもよく、磁気センサ８をホールＩＣの替わりに、両極検知２系統出力のＭＲセンサを用いても構わない。配置される磁気センサ８、磁石７は垂直軸４上の任意の位置でよく、ヒンジ付近でも構わない。また磁石７の磁化方向、磁気センサ８の感度を有する磁界方向も、図１の実施の形態の方向に限られるものではない。
【００２４】
本実施の形態では折り畳み式電子機器として携帯電話機を例としたが、これにに限らず、ノートパソコン、ＰＤＡなどの折り畳み機能を有する電子機器にも使用可能である。以上により、従来、開閉検知用の磁気センサと磁石、筐体向き検知用の磁気センサと磁石の様に、複数個の磁気センサと複数個の磁石が必要であったものが、本発明において、１つの磁気センサと１つの磁石で開閉、向きの両方を検出することが可能となり、実装面積の低減、コストの低減が可能となった。
【実施例】
【００２５】
次に、実施例に基づき、本発明の折り畳み式電子機器について、さらに詳しく説明する。
【００２６】
図１での、本発明の折り畳み式電子機器の構造の各部の寸法は、横寸法は５０ｍｍ、縦寸法は１００ｍｍであり、第２筐体２の厚み寸法は、７ｍｍであり、第１筐体１の厚み寸法ｍは、９ｍｍである。磁気センサ８と、磁石７との対向する面の間隔は、８．０ｍｍとした。この時、磁気センサ８は、磁場が２０×１０マイナス４乗テスラにて、出力電圧１０ｍＶの感度を有している。この状態から、液晶表示部である液晶パネル５が内側に閉じられていることを認識し、液晶パネル５の電源がＯＦＦされる。
【００２７】
また、折り畳み式電子機器の現在の状態を認識するには、出力電圧１０ｍＶの感度を有していることが必要で、この際、磁気センサ８と、磁石７との対向する面の間隔は、８．０ｍｍが限界となる。間隔が、８．０ｍｍを超えると、出力電圧が１０ｍＶより減少し、十分な感度が得られなくなり、また、間隔が、３．０ｍｍより小さいと、構造上、磁気センサ８と、磁石７が納まらなくなるので、間隔は、３．０から８．０ｍｍの範囲内が望ましい。
【図面の簡単な説明】
【００２８】
【図１】本発明の実施の形態に係わる折り畳み式電子機器の説明図。
【図２】図１の状態から、第２の筐体を開いた時の、本発明の実施の形態に係わる折り畳み式電子機器の説明図。
【図３】図２の状態から、第２の筐体を１８０°回転させ開いた時の、本発明の実施の形態に係わる折り畳み式電子機器の説明図。
【図４】図３の状態から、第２の筐体を閉じた時の、本発明の実施の形態に係わる折り畳み式電子機器の説明図。
【符号の説明】
【００２９】
１    第１の筐体
２    第２の筐体
３    水平軸
４    垂直軸
５    液晶パネル
６    操作ボタン
７    磁石
８    磁気センサ
【図１】
2008294490.tif 000003
【図２】
2008294490.tif 000004
【図３】
2008294490.tif 000005
【図４】
2008294490.tif 000006